(57)【要約】      （修正有）【課題】動作品質を確保でき、変形しにくい電子コネクタ端子を提供する。【解決手段】ソルダー部１１の一端は折曲げられ延伸されて弾性部１２が設けられ、該弾性部の一端は一側に向けて延伸され連接部１３が形成され、該連接部の一端が折曲げられ延伸されて接触部１４が形成され、制限部２０の上端は該連接部の一側において内向きに折曲げられ延伸されて位置決め部２１が形成され、該制限部の上端の一側は上向きに延伸されて側ストッパ部２２が形成される。又、二つの該制限部の一端はそれぞれ突伸し第１載置部２３と第２載置部２４が形成され、第１載置部の一端は折曲げられ延伸されて位置制限部２５を形成し、該位置制限部が該第２載置部上に圧接し、該連接部１３の上表面が該位置決め部に圧接し、該接触部は両側ストッパ部の間に位置し該接触部の末端水平位置は該側ストッパ部２２の上表面より低く、該接触部の末端が該位置制限部上に圧接可能である。【選択図】図１
0003161364.tif 000002
【実用新案登録請求の範囲】
【請求項１】
電子コネクタ端子において、
基部であって、該基部はソルダー部を有し、該ソルダー部の一端は折り曲げられ延伸されて弾性部が形成され、該弾性部の一端は一側に向けて延伸され連接部が形成され、該連接部の一端が折り曲げられ延伸されて接触部が形成された、上記基部と、
二つの制限部であって、該ソルダー部の両側縁より上向きに折り曲げられて延伸されてなり、該制限部の上端は該連接部の一側において内向きに折り曲げられ延伸されて位置決め部が形成され、該制限部の上端の一側は上向きに延伸されて側ストッパ部が形成され、二つの該制限部の一端はそれぞれ突伸し第１載置部と第２載置部が形成され、該第１載置部の一端は該第２載置部の一側に向けて折り曲げられ延伸されて位置制限部が形成され、且つ該位置制限部が該第２載置部に圧接する、上記二つの制限部と、
を包含し、該連接部の上表面が該位置決め部に圧接し、該接触部は両側ストッパ部の間に位置し且つ該接触部の末端水平位置は該側ストッパ部の上表面より低く、該接触部の末端が該位置制限部に圧接可能であることを特徴とする電子コネクタ端子。
【請求項２】
請求項１記載の電子コネクタ端子において、該位置決め部の上表面と該側ストッパ部の上表面が同一水平面にあることを特徴とする電子コネクタ端子。
【請求項３】
請求項１記載の電子コネクタ端子において、該接触部の一端が斜め下向きに折り曲げられ延伸されて引っかき防止部が形成されたことを特徴とする電子コネクタ端子。
【請求項４】
請求項１記載の電子コネクタ端子において、該ソルダー部の一端に該ソルダー部を貫通する貫通孔が開設され、該ソルダー部の両側縁に凹溝が凹設されたことを特徴とする電子コネクタ端子。
【考案の詳細な説明】
【技術分野】
【０００１】
本考案は一種のコネクタ端子に係り、特に一種の電子コネクタ端子に関する。
【背景技術】
【０００２】
図３を参照されたい。周知の一種の電子コネクタ端子２は、基部３０と二つの制限部４０を包含する。基部３０は板状のソルダー部３１を具え、ソルダー部３１の末端は折り曲げられ延伸されて横向きＵ形の弾性部３２が形成されている。弾性部３２の末端の一側は延伸されてソルダー部３１と平行な連接部３３が形成され、連接部３３の末端は折り曲げられ延伸されて円弧形を呈する接触部３４が形成されている。二つの制限部４０は長方形片状を呈し、該二つの制限部４０はソルダー部３１の両側縁よりそれぞれ上向きに延伸されてなり、制限部４０の末端は連接部３３の一側において内向きに折り曲げられ延伸されてまげられ水平設置された位置決め部４１を形成し、連接部３３の上表面は二つの位置決め部４１に圧接する。
【０００３】
上述の周知の電子コネクタ端子２は、運送及び半田付けの過程で、接触部３４が外力の影響を受けて変形しやすく、且つその他の電子部品による接触部３４に対する押下行程を有効に制限できず、このため基部３０が過度に変形して電子コネクタ端子２の使用寿命に影響を与えやすい。このほか、電子コネクタ端子２の作業過程中に、振動を受けると、接触部３４と電子部品が瞬間的に離脱して、瞬間切断現象を発生しやすく、電子コネクタ端子２の動作品質に影響を与える。
【考案の概要】
【考案が解決しようとする課題】
【０００４】
本考案の目的は、上述の周知技術の不足に対して、動作品質を確保でき且つ変形しにくい電子コネクタ端子を提供することにある。
【課題を解決するための手段】
【０００５】
上述の目的を達成するため、本考案の提供する電子コネクタ端子は、基部と二つの制限部を包含する。該基部はソルダー部を有し、該ソルダー部の一端は上向きに折り曲げられ延伸されて弾性部が形成され、該弾性部の一端は一側に向けて延伸され連接部が形成され、該連接部の一端が折り曲げられ延伸されて接触部が形成される。二つの該制限部は該ソルダー部の両側縁より上向きに折り曲げられて延伸されてなり、該制限部の上端は該連接部の一側において内向きに折り曲げられ延伸されて位置決め部が形成され、該制限部の上端の一側は上向きに延伸されて側ストッパ部が形成され、二つの該制限部の一端はそれぞれ突伸し第１載置部と第２載置部が形成され、該第１載置部の一端は該第２載置部の一側に向けて折り曲げられ延伸されて位置制限部を形成し、且つ該位置制限部が該第２載置部に圧接し、該連接部の上表面が該位置決め部に圧接し、該接触部は両側ストッパ部の間に位置し且つ該接触部の末端水平位置は該側ストッパ部の上表面より低く、該接触部の末端が該位置制限部に圧接可能である。
【考案の効果】
【０００６】
上述したように、本考案の電子コネクタ端子は該制限部上に側ストッパ部と位置制限部が設置されることで、電子コネクタ端子の運送及び半田付け過程での外力の影響を受けての変形を防止でき、且つ有効に電子部品の接触部に対する押下行程を制限し、電子コネクタ端子の使用寿命を延長する。接触部の末端は位置制限部に圧接可能で、これにより動作過程中に振動を受ける時に、接触部と電子部品の接続が瞬間切断されるのを防止し、電子コネクタ端子の動作品質を確保する。
【図面の簡単な説明】
【０００７】
【図１】本考案の電子コネクタ端子の実施例の立体図である。
【図２】図１の電子コネクタ端子の動作時の状態表示図である。
【図３】周知の電子コネクタ端子の立体図である。
【考案を実施するための形態】
【０００８】
本考案の技術内容、構造特徴、達成する目的を詳細に説明するため、以下に実施例を挙げ並びに図面を組み合わせて説明する。
【０００９】
図１を参照されたい。本考案の電子コネクタ端子１は基部１０と二つの制限部２０を包含する。
【００１０】
該基部１０は板状のソルダー部１１を有し、該ソルダー部１１の前端に該ソルダー部１１を貫通する貫通孔１１１が開設され、該ソルダー部１１の両側縁に、該ソルダー部１１内に向けて凹んだ凹溝１１２が設けられ、ソルダー部１１の末端は上向きに折り曲げられ延伸されて横向きのＵ形の弾性部１２が形成され、弾性部１２の末端は一側に向けて延伸され、ソルダー部１１と平行な連接部１３が形成され、該連接部１３の末端は折り曲げられ延伸されて円弧形の接触部１４が形成される。該接触部１４の末端は斜め下向きに折り曲げられ延伸されて水平設置された引っかき防止部１５が形成され、前述の貫通孔１１１及び凹溝１１２は電子コネクタ端子１の半田付け過程中に、はんだの広がりを防止する。
【００１１】
上述の二つの該制限部２０は略長方形板状を呈し、二つの制限部２０は該ソルダー部１１の両側縁より上向きに折り曲げられて延伸されてなり、該制限部２０の上端は該連接部１３の一側において内向きに折り曲げられ延伸されて水平設置される位置決め部２１が形成され、該制限部２０の上端の前部は上向きに延伸されて板状の側ストッパ部２２が形成され、二つの該制限部２０の前端はそれぞれ突伸し第１載置部２３と第２載置部２４が形成され、該第１載置部２３の上端縁は第２載置部２４の一側に向けて折り曲げられ延伸されて板状の位置制限部２５を形成し、且つ該位置制限部２５の末端は緊密の第２載置部２４の上端縁に圧接する。前述の基部１０の連接部１３の上表面は二つの位置決め部２１に圧接し、位置決め部２１の上表面と側ストッパ部２２の上表面は同一水平面にあり、該接触部１４は二つの側ストッパ部２２の間に位置し、引っかき防止部１５の水平位置は側ストッパ部２２の上表面より低く、これにより接触部１４の動作範囲を制限し、これにより、電子コネクタ端子１の運送及び半田付け過程中の外力の影響を受けての変形を防止する。
【００１２】
図２を参照されたい。本考案の電子コネクタ端子１の動作時に、電子部品（図示せず）が接触部１４を押下並びに位置決め部２１と側ストッパ部２２の上表面に圧接すると、引っかき防止部１５が緊密に位置制限部２５に圧接し、位置決め部２１と側ストッパ部２２は有効に電子部品の接触部１４に対する押下行程を制限し、電子コネクタ端子１の使用寿命を延長でき、位置制限部２５は電子コネクタ端子１が振動を受けるときの、接触部１４と電子部品の接続の瞬間切断を防止する。
【００１３】
上述したように、本考案の電子コネクタ端子１は制限部２０に設置された側ストッパ部２２と位置制限部２５により、電子コネクタ端子１の運送及び半田付け過程中での外力を受けての変形を防止でき、有効に電子部品の接触部１４に対する押下行程を制限し、電子コネクタ端子１の使用寿命を延長できる。接触部１４の末端は位置制限部２５に圧接可能であり、これにより動作過程中の、振動を受けるときの接触部１４と電子部品の瞬間切断を防止でき、電子コネクタ端子１の動作品質を確保できる。
【符号の説明】
【００１４】
１  電子コネクタ端子
１０  基部                １１  ソルダー部
１１１  貫通孔            １１２  凹溝
１２  弾性部              １３  連接部
１４  接触部              １５  引っかき防止部
２０  制限部              ２１  位置決め部
２２  側ストッパ部        ２３  第１載置部
２４  第２載置部          ２５  位置制限部
【図１】
0003161364.tif 000003
【図２】
0003161364.tif 000004
【図３】
0003161364.tif 000005